(57)【要約】      （修正有）【課題】容器の改善された蓋構造を提供する。【解決手段】本発明は、容器の改善された蓋構造に関し、主に、可動蓋本体１０、逆止め爪シート２０、記号回転リング３０、内蓋４０、および外側リングシェル５０との組み合わせにより構成された蓋構造であり、容器６０との結合のために使われる。蓋を開けた回数を自動的に記録および表示できる構造を使用して、ユーザーに薬を飲むように促すことができ、薬容器を持ち運びと管理を容易にするために互いに接続することができる。そして、薬物の重複服用を防ぐことおよび薬物の服用を気付かせる目的を達成できる。【選択図】図９
2020203727.tif 000002
【特許請求の範囲】
【請求項１】
容器の蓋構造であり、可動蓋本体、逆止め爪シート、内蓋、および外側リングシェルが含まれ、
前記可動蓋本体は、挿入管である昇降蓋を有し、前記挿入管の前方に開口部が設置され、前記挿入管上端の外縁部には、上向きに凸状リング壁が設けられ、その上部にノッチが設けられ、前記凸状リング壁の内壁には間隔をあけた２つの凸ピンが複数に設けられており、そして、凸状リング壁の底面には係止口が設けられ、前記挿入管の底部には、外側フランジおよび内側フランジが設けられ、前記外側フランジには、対応する２つのスクリュートップバーブが凸状に設けられ、前記内側フランジには、間隔をあけた２つのノッチが設けられ、また、挿入管の底部には、外側フランジおよび内側フランジから上方に開口部が配置され、前記開口部は、組み立てる際に挿入管の下部を締め付けて、口径を一時的に減少させることができるためのものであり、
前記可動蓋本体は丸いシート蓋を有し、前記丸いシート蓋の上面には、チップを保持するための溝が設けられており、前記丸いシート蓋の底面には、凹んでいる凹状リングレールと、凸状挿入管とが設けられ、また、前記丸いシート蓋の外縁には凹んでいる複数セットの間隔をあけた２つのロック口が設けられ、前記丸いシート蓋は、前記各ロック口および昇降蓋の挿入管の凸状リング壁の内壁を介して、複数セットの間隔をあけた２つの凸ピンが対応して固定し、位置決めするように配置され、
前記可動蓋本体は弧状板を有し、前記弧状板には、表面の一側に開口部が設けられており、前記弧状板の上面にはフランジが設けられており、前記弧状板は、昇降蓋の挿入管の開口部の後ろに位置し、閉合状態を呈し、さらに、弧状板の底部は、挿入管の底部の内側フランジ上に位置し、弧状板のランジは、丸いシート蓋の底面の凹状リングレールに位置しており、前記可動蓋本体は上蓋を有し、前記上蓋は中央に仕切り板を備えた管状蓋本体であり、仕切り板の底部には２つの突起が設けられ、挿入管の凸状リング壁のノッチとの対応する位置決めのために設けられ、また、前記上蓋の底部内縁には、凸状係止エッジが突設されており、挿入管の凸状リング壁の底面の係止口との締結、固定に用いられ、また、上蓋の上面の内縁には、複数の凸状爪エッジが突設されており、
前記逆止め爪シートは内縁面に環状体を呈し、内縁面は対応する２つの逆止め爪本体が上方に延びており、前記逆止め爪本体は、フック爪および逆止めバーブを有し、フック爪の一側にトップシートが伸びており、逆止め爪シートの環状体の外縁には多数の凹部が設けられており、前記２つの逆止め爪本体は、記号回転リングを挿入するために使用され、前記記号回転リングの内環面の斜めノッチは、２つの逆止め爪本体の逆止めバーブと係止し、記号回転リングを一方向にのみ回転するように規制しており、前記逆止め爪シートの中央は、可動蓋本体を挿入して上下動させるためのものであり、可動蓋本体を引き上げ、位置決めすると、逆止め爪本体の２つのフック爪が可動蓋本体の昇降蓋の挿入管のフランジに引っ掛かり、脱落を防止し、さらに可動蓋本体の昇降蓋の２つのスクリュートップバーブは、記号回転リングの斜めノッチと係合し、
前記記号回転リングは、表面に記号を有する環状体であり、内環面には、複数の斜めノッチが凹状に設けられており、
前記内蓋は、その内環面にねじ山を有する管状体であり、また、底部には環状底板が設けられており、主に内蓋の管状体の表面に２つの間隔をあけたリブが配置されており、前記２つのリブの上部には開口部が設けられており、前記開口部は挿入管の底部の内側フランジがその間を移動するために使用され、前記２つのリブの底部は、環状底板から間隔をあけており、挿入管の底部の内側フランジは、それらの間を移動することができ、さらに、環状底板の外縁には、２つのリフト可能なラッチピンが設けられており、
前記内蓋は、可動蓋本体の昇降蓋の挿入管に組み込まれ、内蓋の２つのリブは、挿入管の底部にある内側フランジの２つのノッチに対応し、そして中に上下に動くことができ、また、可動蓋本体の昇降蓋に設けられた前記弧状板は、内蓋の２つのリブの間に位置し、２つのリブは、弧状板をそれらの間で上下にのみ往復するように制限し、
前記外側リングシェルは、環状体を呈し、表面に開口部と、上部から突出する上縁とが設けられ、また、前記外側リングシェルの内側リングには、逆止め爪シートの外縁の複数の凹部に対応する複数のタブが設けられ、外側リングシェルの中央は、記号回転リングと組み合わされた逆止め爪シートを挿入するために使用され、外側リングシェルの内側リング表面上の複数のタブは、逆止め爪シートの外縁上の複数の凹部に対応し、挿入して連結し、前記外側リングシェルの上縁は、逆止め爪シートの逆止め爪本体と、これと組み合わされた記号回転リングの上部に位置し、脱落を防止し、そして、外側リングシェルの開口部には、記号回転リングに対応する記号が表示され、さらに、外側リングシェルの下縁は、内蓋の環状底板に接続して固定され、蓋を形成し、２つの係止穴を有する容器の開口部にボルトで固定でき、そして、内蓋の２本のラッチピンを容器の係止穴に押し込み、蓋の緩みを防止する位置に配置し、
前記容器の上部には、２つの係止穴が設けられており、可動蓋本体の上蓋の上部内縁の複数の凸状爪エッジと係合して直列に接続できる複数の容器を形成するための凸状挿入フック６２がさらに底部に設けられ、
可動蓋本体を決められた位置まで引き上げられることにより、逆止め爪シートの逆止め爪本体のフック爪は、可動蓋本体の昇降蓋の挿入管の外側フランジに引っ掛かり脱落を防止し、弧状板は、挿入管の開口部の背部で閉合状態を呈し、また、可動蓋本体の昇降蓋のスクリュートップバーブを記号回転リングの斜めノッチに係合させると、すぐ可動蓋本体を回転させ、前記可動蓋本体の昇降蓋のスクリュートップバーブの底部は、逆止め爪シートのトップシート上に位置し、可動蓋本体の下降を防止し、前記可動蓋本体を決められた位置まで回転させると、スクリュートップバーブが逆止め爪本体のフック爪の側壁に当接し、同時に、挿入管の開口部は、弧状板の開口部に対応してオープン状態を呈し、そして、連動された記号回転リングが回転して次の記号に切り替えて回数を記録し、挿入管の前の開口部から薬粒を注ぐことを特徴とする、容器の蓋構造。
【発明の詳細な説明】
【技術分野】
【０００１】
本発明は、改善された容器の蓋構造であり、医薬顆粒または様々な顆粒状物品用の容器の蓋に適用され、蓋が開かれた回数を正確に記録する技術分野である。
【背景技術】
【０００２】
一般に、薬の容器の口は大きいが、患者が薬粒を取り出す際、出すべき薬粒の数が正確に出せなかったり、薬粒を過剰に出すことが起こりやすい。または、不注意で薬粒を床にこぼしてしまい、特に、患者が薬を服用したかどうかを覚えていないことが多く、繰り返し服用するか、まったく服用しないことが多いのである。
【０００３】
上記に鑑み、上記欠点を早急に改善する必要があるため、本出願人は容器の蓋構造を開発した。すでに台湾の実用新案登録番号９８２０２８２２「容器の蓋構造の改善」と実用新案登録番号９８２１４５３６「容器の蓋の更なる改善」が登録されており、同時に、米国に特許の申請を行い、特許番号ＵＳ１２１２９２２２１およびＵＳ８１３６６８７を取得した。
【０００４】
しかし、実際の製造による商品化に際して、製造プロセス中において、金型を大量生産することが困難であり、製造効率が低下し、コストが増加することが分かった。
【０００５】
また、米国特許第８１３６６８７号「容器の蓋」の發明の構造の主な目的および効果（図１を参照）は、容器の蓋（可動蓋本体１１０）を開いた回数を記録および表示し、患者が薬を服用したかどうかを知るためである。しかし、蓋構造の可動蓋本体１１０は、上方に引っ張られている限り、開口部１０２０ｄを有するため、容器５５０内の薬剤を直接注ぐことができるが、患者はしばしば可動蓋本体１１０を引き上げることを忘れた後、再び可動蓋本体１１０を回転させ、記号リング６６０の回転を間接的に駆動して、使用回数を記録するごとに切り替えなければならない。
【発明の概要】
【発明が解決しようとする課題】
【０００６】
したがって、本発明者は、蓋構造によって形成された一連の動作の順序が患者に薬を取る動作の操作を不完全にさせることを容易に引き起こし、結果として使用回数の記録を誤って表示する可能性があることを発見した。
【０００７】
また、一般的な慢性病患者はさまざまな薬を服用し、各薬を分類して収容するために複数の薬容器を使用する必要がある。しかし、薬容器の数が多く、管理が難しいため、薬容器が見つからないという問題がよくある。或いは外出時にバックパックに薬容器を入れると、バックパックの揺れ力により、薬容器はバックパック内で置く位置がずれるため、薬容器を探すのに時間がかかるという問題を有する。
【０００８】
前述の問題を改善する必要があることを考慮して、本発明者は、再度研究し、最終的に改良された容器の蓋構造を開発した。
【０００９】
本発明の構造、目的、方式、および精神については、以下の図面および説明を参照して、本発明を十分に理解することができる。
【課題を解決するための手段】
【００１０】
本発明の容器の蓋構造は、可動蓋本体と、逆止め爪シートと、内蓋と、および外側リングシェルとを含む。
【００１１】
可動蓋本体は、挿入管である昇降蓋を有し、挿入管の前方に開口部が設置されている。挿入管の上端の外縁部には、上向きに凸状リング壁が設けられ、その上部にノッチが設けられている。凸状リング壁の内壁には間隔をあけた２つの凸ピンが複数に設けられており、そして、凸状リング壁の底面には係止口が設けられている。さらに、挿入管の底部には、外側フランジおよび内側フランジが設けられ、外側フランジには、対応する２つのスクリュートップバーブが凸状に設けられ、内側フランジには、間隔をあけた２つのノッチが設けられる。また、挿入管の底部には、外側フランジおよび内側フランジから上方に開口部が配置される。開口部は、組み立て中に挿入管の下部を締め付けて、口径を一時的に減少させることができるためのものである。
【００１２】
丸いシート蓋の上面には、チップを保持するための溝が設けられており、丸いシート蓋の底面には、凹んでいる凹状リングレールと、凸状挿入管とが設けられている。また、丸いシート蓋の外縁には凹んでいる複数のセットの間隔をあけた２つのロック口が設けられている。丸いシート蓋は、各ロック口および昇降蓋の挿入管における凸状リング壁の内壁を介して、複数のセットの間隔をあけた２つの凸ピンが対応して固定し、位置決めするように配置されている。
【００１３】
弧状板には、表面の片側に開口部が設けられており、弧状板の上面にはフランジが設けられている。弧状板は、昇降蓋の挿入管の開口部の後ろに位置し、閉合状態を呈している。さらに、弧状板の底部は、挿入管の底部の内側フランジ上に位置し、弧状板のフランジは、丸いシート蓋の底面の凹状リングレールに位置している。上蓋は、中央に仕切り板を備えた管状蓋本体であり、仕切り板の底部には２つの突起が設けられ、挿入管の凸状リング壁のノッチとの対応する位置決めのために設けられている。また、上蓋の底部内縁には、凸状係止エッジが突設されており、挿入管の凸状リング壁の底面の係止口との締結、固定に用いられる。上蓋の上面の内縁には、複数の凸状爪エッジが突設されている。
【００１４】
丸いシート蓋の溝は、様々な患者データおよび薬物データを記録または読み取るために使用するチップを配置するために使用され得る。
【００１５】
逆止め爪シートは環状体を呈し、内縁面は対応する２つの逆止め爪本体が上方に延びている。逆止め爪本体は、フック爪および逆止めバーブを有し、フック爪の一側にトップシートが伸びている。逆止め爪シートの環状体の外縁には多数の凹部が設けられており、２つの逆止め爪本体は、記号回転リングを挿入するために使用される。記号回転リングの内環面の斜めノッチは、２つの逆止め爪本体の逆止めバーブと係止し、記号回転リングを一方向にのみ回転するように規制している。
逆止め爪シートの中央は、可動蓋本体を挿入して上下動させるためのものである。可動蓋本体を引き上げ、位置決めすると、逆止め爪本体の２つのフック爪が可動蓋本体の昇降蓋における挿入管のフランジに引っ掛かり、脱落を防止する。さらに、可動蓋本体の昇降蓋の２つのスクリュートップバーブは、記号回転リングの斜めノッチと係合する。
記号回転リングは、表面に記号を有する環状体であり、内環面には、複数の斜めノッチが凹状に設けられている。
【００１６】
内蓋は、その内環面にねじ山を有する管状体である。また、底部には環状底板が設けられており、主に内蓋の管状体の表面に２つの間隔をあけたリブが配置されている。２つのリブの上部には開口部が設けられており、開口部は挿入管の底部の内側フランジがその間を移動するために使用される。２つのリブの底部は、環状底板から間隔をあけており、挿入管の底部の内側フランジは、それらの間を移動することができる。さらに、環状底板の外縁には、２つのリフト可能なラッチピンが設けられている。
内蓋は、可動蓋本体の昇降蓋の挿入管に組み込まれている。内蓋の２つのリブは、挿入管の底部にある内側フランジの２つのノッチに対応し、そして中に上下に動くことができる。また、可動蓋本体の昇降蓋に設けられた弧状板は、内蓋の２つのリブの間に位置し、２つのリブは、弧状板をそれらの間で上下にのみ往復するように制限する。
【００１７】
外側リングシェルは、環状体を呈し、表面に開口部と、上部から突出する上縁とが設けられた環状体であり、また、外側リングシェルの内側リングには、逆止め爪シートの外縁の複数の凹部に対応する複数のタブが設けられている。外側リングシェルの中央は、記号回転リングと組み合わされた逆止め爪シートを挿入するために使用される。外側リングシェルの内側リング表面上の複数のタブは、逆止め爪シートの外縁上の複数の凹部に対応して連結する。外側リングシェルの上縁は、逆止め爪シートの逆止め爪本体と、これと組み合わされた記号回転リングの上部に位置し、脱落を防止している。そして、外側リングシェルの開口部には、記号回転リングに対応する記号が表示されてもよい。さらに、外側リングシェルの下縁は、内蓋の環状底板に接続して固定され、蓋を形成する。２つの係止穴を有する容器の開口部にボルトで固定できる。そして、内蓋の２本のラッチピンを容器の係止穴に押し込み、蓋の緩みを防止する位置に配置する。
【００１８】
また、容器の上部には、２つの係止穴が設けられている。可動蓋本体の上蓋の上部内縁の複数の凸状爪エッジと係合して直列に接続された複数の容器を形成するための凸状挿入フックがさらに底部に設けられる。
【発明の効果】
【００１９】
本発明は、容器の蓋を開ける回数を正確に表示できる容器の蓋構造を改良したものであり、それぞれの容器を直列に接続することにより、容器の管理や携帯が容易になる。
また、本発明は、薬の保管容器の構造とその操作順序により、薬を取るために蓋を開けることができる。これにより、容器の使用回数の記録を自動的に切り替えて表示し、患者に薬の重複服用を防ぐことができ、薬の服用を思い出させる効果を達する。
【図面の簡単な説明】
【００２０】
【図１】従来技術の米国特許番号US8136687「容器の蓋」の実施形態における動作図である。
【図２】本発明による容器の改良された蓋構造の分解斜視図である。
【図３】本発明のリフティング蓋の三次元概略図である。
【図４】本発明の円形シート蓋の三次元概略図である。
【図５】本発明の上蓋の三次元概略図である。
【図６】本発明の内側蓋のラッチ動作の簡単な概略図である。
【図７】本発明の外側リングシェルの三次元概略図でわる。
【図８】本発明の容器の三次元概略図である。
【図９】本発明の図１３の断面Ａ−Ａの概略斜視図である。
【図１０】本発明の図１３の断面Ｂ−Ｂの概略斜視図である。
【図１１】本発明の位置決め位置に回転する可動蓋の動作の概略図である。
【図１２】本発明のリフティング蓋のスクリュートップバーブと記号リングの斜めノッチの係合の３次元概略図である。
【図１３】本発明による容器の蓋構造を改善するための実施形態の使用動作図である。
【図１４】本発明による改善された容器の蓋構造が薬を注ぐ三次元概略図である。
【図１５】本発明による直列に接続された２つの容器の概略図である。
【発明を実施するための形態】
【００２１】
図２は、本発明による容器の改善された蓋構造の三次元分解図である。以下のものが含まれる。
【００２２】
可動蓋本体１０は、挿入管１０２である昇降蓋１００（図３を参照）を有し、挿入管１０２の前方に開口部１０２ｅが設置されている。挿入管１０２の上端の外縁部には、上向きに凸状リング壁１０１が設けられ、その上部にノッチ１０１ａが設けられ、凸状リング壁１０１の内壁には間隔をあけた２つの凸ピン１０１ｂが複数に設けられており、そして、凸状リング壁１０１の底面には係止口１０１ｃが設けられている。さらに、挿入管１０２の底部には、外側フランジ１０２ａおよび内側フランジ１０２ｂが設けられ、外側フランジ１０２ａには、対応する２つのスクリュートップバーブ１０２ｃが凸状に設けられ、内側フランジ１０２ｂには、間隔をあけた２つのノッチ１０２ｄが設けられる。また、挿入管１０２の底部には、外側フランジ１０２ａおよび内側フランジ１０２ｂから上方に開口部１０２ｆが配置される。開口部１０２ｆは、組み立て中に挿入管１０２の下部を締め付けて、口径を一時的に減少させることができるためのものである。
丸いシート蓋１０３の上面には、チップを保持するための溝１０３ａが設けられており（図４を参照）、丸いシート蓋１０３の底面には、凹んでいる凹状リングレール１０３ｄと、凸状挿入管１０３ｃとが設けられている。また、丸いシート蓋１０３の外縁には凹んでいる複数のセットの間隔をあけた２つのロック口１０３ｂが設けられている。丸いシート蓋１０３は、各ロック口１０３ｂおよび昇降蓋１００の挿入管１０２の凸状リング壁１０１の内壁を介して、複数のセットの間隔をあけた２つの凸ピン１０１ｂが対応して固定し、位置決めするように配置されている。
弧状板１０４には、表面の片側に開口部１０４ａが設けられており、弧状板１０４の上面にはフランジ１０４ｂが設けられている。弧状板１０４（図９および図１０を参照）は、昇降蓋１００の挿入管１０２の開口部１０２ｅの後ろに位置し、閉合状態を呈している。さらに、弧状板１０４の底部は、挿入管１０２の底部の内側フランジ１０２ｂ上に位置し、弧状板１０４のフランジ１０４ｂは、丸いシート蓋１０３の底面の凹状リングレール１０３ｄに位置している。上蓋１０５（図２、図３、図５および図９を参照）は、中央に仕切り板１０５ｃを備えた管状蓋本体であり、仕切り板１０５ｃの底部には２つの突起１０５ａが設けられ、挿入管１０２の凸状リング壁１０１のノッチ１０１ａとの対応する位置決めのために設けられている。また、上蓋１０５の底部内縁には、凸状係止エッジ１０５ｂが突設されており、挿入管１０２の凸状リング壁１０１の底面の係止口１０１ｃとの締結、固定に用いられる。上蓋１０５の上面の内縁には、複数の凸状爪エッジ１０５ｄが突設されている。
【００２３】
丸いシート蓋１０３の溝１０３ａは、様々な患者データおよび薬物データを記録または読み取るために使用するチップを配置するために使用され得る。
【００２４】
逆止め爪シート２０（図２を参照）は環状体を呈し、内縁面は対応する２つの逆止め爪本体２０１が上方に延びている。逆止め爪本体２０１は、フック爪２０１ａおよび逆止めバーブ２０１ｂを有し、フック爪２０１ａの一側にトップシート２０１ｃが伸びている。逆止め爪シート２０の環状体の外縁には多数の凹部２０１ｄが設けられており（図９、図１０を参照）、２つの逆止め爪本体２０１は、記号回転リング３０を挿入するために使用される。記号回転リング３０の内環面の斜めノッチ３０１は、２つの逆止め爪本体２０１の逆止めバーブ２０１ｂと係止し、記号回転リング３０を一方向にのみ回転するように規制している。
【００２５】
逆止め爪シート２０の中央は、可動蓋本体１０を挿入して上下動させるためのものである（図９を参照）。可動蓋本体１０を引き上げ、位置決めすると、逆止め爪本体２０１の２つのフック爪２０１ａが可動蓋本体１０の昇降蓋１００における挿入管１０２の外側フランジ１０２ａに引っ掛かり、脱落を防止する。さらに（図１２を参照）、可動蓋本体１０の昇降蓋１００の２つのスクリュートップバーブ１０２ｃは、記号回転リング３０の斜めノッチ３０１と係合する。
【００２６】
記号回転リング３０は、表面に記号を有する環状体であり、内環面には、複数の斜めノッチ３０１が凹状に設けられている。
【００２７】
内蓋４０（図６を参照）は、その内環面にねじ山を有する管状体である。また、底部には環状底板４０ａが設けられており、主に内蓋４０の管状体の表面に２つの間隔をあけたリブ４０ｂが配置されている。２つのリブ４０ｂの上部には開口部４０ｃが設けられており、開口部４０ｃは挿入管１０２の底部の内側フランジ１０２ｂ（図３を参照）がその間を移動するために使用される。２つのリブ４０ｂの底部は、環状底板４０ａから間隔をあけており、挿入管１０２の底部の内側フランジ１０２ｂは、それらの間を移動することができる。さらに、環状底板４０ａの外縁には、２つのリフト可能なラッチピン４０ｄが設けられている。
【００２８】
内蓋４０（図３、図９、および図１０を参照）は、可動蓋本体１０の昇降蓋１００の挿入管１０２に組み込まれている。内蓋４０の２つのリブ４０ｂは、挿入管１０２の底部にある内側フランジ１０２ｂの２つのノッチ１０２ｄに対応し、そして中に上下に動くことができる。また、可動蓋本体１０の昇降蓋１００に設けられた弧状板１０４は、内蓋４０の２つのリブ４０ｂの間に位置し、２つのリブ４０ｂは、弧状板１０４をそれらの間で上下にのみ往復するように制限する。
【００２９】
外側リングシェル５０（図７、図９、および図１０を参照）は、環状体を呈し、表面に開口部５０ａと、上部から突出する上縁５０ｂとが設けられた環状体であり、また、外側リングシェル５０の内側リングには、逆止め爪シート２０の外縁の複数の凹部２０１ｄに対応する複数のタブ５０ｃが設けられている。外側リングシェル５０の中央は、記号回転リング３０と組み合わされた逆止め爪シート２０を挿入するために使用され、外側リングシェル５０の内側リング表面上の複数のタブ５０ｃは、逆止め爪シート２０の外縁上の複数の凹部２０１ｄに対応して連結する。外側リングシェル５０の上縁５０ｂは、逆止め爪シート２０の逆止め爪本体２０１と、これと組み合わされた記号回転リング３０の上部に位置し、脱落を防止している。そして、外側リングシェル５０の開口部５０ａには、記号回転リング３０に対応する記号が表示されてもよい。さらに、外側リングシェル５０の下縁は、内蓋４０の環状底板４０ａに接続して固定され、蓋１０００（図６、図８、および図９を参照）を形成する。２つの係止穴６１を有する容器６０の開口部にボルトで固定できる。そして、内蓋４０の２本のラッチピン４０ｄを容器６０の係止穴６１に押し込み、蓋１０００の緩みを防止する位置に配置する。
【００３０】
また、（図８および図１５を参照）容器６０の上部には、２つの係止穴６１が設けられている。可動蓋本体１０の上蓋１０５の上部内縁の複数の凸状爪エッジ１０５ｄと係合して直列に接続された複数の容器６０を形成するための凸状挿入フック６２がさらに底部に設けられる。
【００３１】
図１３は、本発明による容器の蓋の構造を改善する実施形態の使用動作図である。図に示すように、蓋１０００は容器６０でしっかりと密封されている。容器６０内の薬剤顆粒を取り出すために、可動蓋本体１０は決められた位置まで引き上げられる（図９、１０および１１を参照）。逆止め爪シート２０の逆止め爪本体２０１のフック爪２０１ａは、可動蓋本体１０の昇降蓋１００の挿入管１０２の外側フランジ１０２ａに引っ掛かり脱落を防止し、弧状板１０４は、挿入管１０２の開口部１０２ｅの背部で閉合状態を呈する。また（図１１、図１２を参照）、可動蓋本体１０の昇降蓋１００のスクリュートップバーブ１０２ｃを記号回転リング３０の斜めノッチ３０１に係合させると、すぐ可動蓋本体１０を回転させる。可動蓋本体１０の昇降蓋１００のスクリュートップバーブ１０２ｃの底部は、逆止め爪シート２０のトップシート２０１ｃ上に位置し、可動蓋本体１０の下降を防止する。可動蓋本体１０を決められた位置まで回転させると、スクリュートップバーブ１０２ｃが逆止め爪本体２０１のフック爪２０１ａの側壁に当接する。同時に、挿入管１０２の開口部１０２ｅは、弧状板１０４の開口部１０４ａに対応してオープン状態を呈し、そして、連動された記号回転リング３０が回転して次の記号（１から２に変わるなど）に切り替えて回数を記録し（図１４を参照）、挿入管１０２の前の開口部１０２ｅから薬粒を注ぐ。
【００３２】
薬粒を取った後、蓋を閉じる場合は、上記と同様な逆動作で完成する。このうち、逆動作時（図１０を参照）において、逆止め爪本体２０１には、斜めノッチ３０１の記号回転リング３０が逆止めバーブ２０１ｂにより、記号回転リング３０の逆回転を防止でき、一方向回転のみに制限できる。したがって、逆動作では、記号回転リング３０は作動せず、元の記号を維持して、外側リングシェル５０の開口部５０ａに示され、ユーザーに使用回数を知らせる。
【００３３】
本発明の好ましい実施形態の上記説明は例示的なものであり、本発明を限定するものではない。実施形態は、本発明の原理を説明し、当業者が様々な実施形態において本発明を使用できるようにすることを意図している。本発明の技術的思想は、添付の特許請求の範囲およびその均等物によって決定されることができる。
【符号の説明】
【００３４】
１０００  蓋
１０  可動蓋本体
１００  昇降蓋
１０１  凸状リング壁
１０１ａ  ノッチ
１０１ｂ  凸ピン
１０１ｃ  係止口
１０２  挿入管
１０２ａ  外側フランジ
１０２ｂ  内側フランジ
１０２ｃ  スクリュートップバーブ  
１０２ｄ  ノッチ
１０２ｅ  開口部
１０２ｆ  開口部
１０２ｂ  内側フランジ
１０２ｃ  スクリュートップバーブ
１０２ｄ  ノッチ
１０３  丸いシート蓋
１０３ａ  溝
１０３ｂ  ロック口
１０３ｃ  凸状挿入管
１０３ｄ  凹状リングレール
１０４  弧状板  
１０４ａ  開口部
１０４ｂ  フランジ
１０５  上蓋  
１０５ａ  突起
１０５ｂ  凸状係止エッジ
１０５ｃ  仕切り板
１０５ｄ  凸状爪エッジ
１１０  可動蓋本体    
２０    逆止め爪シート
２０１  逆止め爪本体
２０１ａ  フック爪
２０１ｂ  逆止めバーブ
２０１ｃ  トップシート
２０１ｄ  凹部
３０  記号回転リング
３０１  斜めノッチ  
４０  内蓋
４０ａ  環状底板
４０ｂ  リブ
４０ｃ  開口部
４０ｄ  ラッチピン
５０  外側リングシェル
５０ａ  開口部
５０ｂ  上縁
５０ｃ  タブ  
５５０  容器
６０  容器
６１  係止穴
６２  凸状挿入フック
６６０  記号リング
【図１】
2020203727.tif 000003
【図２】
2020203727.tif 000004
【図３】
2020203727.tif 000005
【図４】
2020203727.tif 000006
【図５】
2020203727.tif 000007
【図６】
2020203727.tif 000008
【図７】
2020203727.tif 000009
【図８】
2020203727.tif 000010
【図９】
2020203727.tif 000011
【図１０】
2020203727.tif 000012
【図１１】
2020203727.tif 000013
【図１２】
2020203727.tif 000014
【図１３】
2020203727.tif 000015
【図１４】
2020203727.tif 000016
【図１５】
2020203727.tif 000017